(57)【要約】【課題】顎骨への埋入が容易であり、骨への適合に優れ、かつ埋入後は強力な維持力を有する歯列矯正用インプラントを提供する。【解決手段】本発明は、顎骨に埋入される歯列矯正用インプラント１であって、歯列矯正器具と連結される頭部５と、顎骨に埋入されるねじ部１０とを備える。ねじ部１０は、埋入先端側の尖鋭部２と、尖鋭部２に続く第１のねじ部３と、第１のねじ部３から続く第２のねじ部４とを含む。第２のねじ部４のピッチは、第１のねじ部３のピッチよりも狭いことを特徴とする。【選択図】図１
2013141582.tif 000002
【特許請求の範囲】
【請求項１】
顎骨に埋入される歯列矯正用インプラントであって、
歯列矯正器具と連結される頭部と、
前記顎骨に埋入されるねじ部とを備え、
前記ねじ部は、
埋入先端側の尖鋭部と、
中央部の第１のねじ部と、
前記頭部側の第２のねじ部とを含み、
前記第２のねじ部のピッチは、前記第１のねじ部のピッチよりも狭いことを特徴とする歯列矯正用インプラント。
【請求項２】
前記第１のねじ部は、前記尖鋭部にかけて切り欠き部を有することを特徴とする、請求項１に記載の歯列矯正用インプラント。
【発明の詳細な説明】
【技術分野】
【０００１】
本発明は、歯列矯正用のインプラントに関する。
【背景技術】
【０００２】
近年、歯に固定されたブラケットに取り付けられたワイヤに、顎骨に埋め込まれたインプラントを連結することによって、歯を移動させる歯列矯正の技術が提案されている。たとえば、特許文献１の請求項２２や段落００５０には、歯科用インプラントに矯正装置を固定することができる旨が開示されており、矯正装置として、歯科用ワイヤ、歯科矯正エラストマーが例示されている。
【先行技術文献】
【特許文献】
【０００３】
【特許文献１】特表２０１０−５２３１７９号公報
【発明の概要】
【発明が解決しようとする課題】
【０００４】
歯列矯正用に用いられるインプラントは、通常、全長が６〜１５ｍｍ程度の短いものである。歯列矯正用インプラントは、顎骨への埋入が容易であり、かつ埋入後は、骨への適合が優れ、強力な維持力を有していなければならない。しかし、従来、そのような歯列矯正用インプラントは、存在しなかった。
【０００５】
それゆえ、本発明の目的は、顎骨への埋入が容易であり、骨への適合に優れ、かつ埋入後は強力な維持力を有する歯列矯正用インプラントを提供することである。
【課題を解決するための手段】
【０００６】
上記課題を解決するために、本発明は、以下のような特徴を有する。本発明は、顎骨に埋入される歯列矯正用インプラントであって、歯列矯正器具と連結される頭部と、顎骨に埋入されるねじ部とを備える。ねじ部は、埋入先端側の尖鋭部と、中央部の第１のねじ部と、頭部側の第２のねじ部とを含む。第２のねじ部のピッチは、第１のねじ部のピッチよりも狭いことを特徴とする。好ましくは、第１のねじ部は、尖鋭部にかけて切り欠き部を有するとよい。
【発明の効果】
【０００７】
尖鋭部及び第１のねじ部によって、顎骨への埋入が容易となる。さらに、歯列矯正用インプラント自体は、極小さいものであるので、骨への適合性に優れている。加えて、第２のねじ部の作用によって、埋入後は、強力に固定されることとなり、強力な維持力を歯列矯正用インプラントは発揮することとなる。なお、第２のねじ部のピッチは狭いので、顎骨と歯列矯正用インプラントとが密着することとなるので、バクテリアや細菌が顎骨に侵入するのを防止することができ、これらの感染による骨吸収を防止することができ、結果、骨への適合性も優れることとなる。切り欠き部を設ければ、初期の埋入がさらに容易となる。
【０００８】
本発明のこれら、及び他の目的、特徴、局面、効果は、添付図面と照合して、以下の詳細な説明から一層明らかになるであろう。
【図面の簡単な説明】
【０００９】
【図１】図１は、本発明の第１の実施形態に係る歯列矯正用インプラント１の正面図である。
【図２】図２は、第１の実施形態に係る歯列矯正用インプラント１の平面図である。
【図３Ａ】図３Ａは、第１の実施形態に係る歯列矯正用インプラント１の左側面図である。
【図３Ｂ】図３Ｂは、第１の実施形態に係る歯列矯正用インプラント１の右側面図である。
【図４】図４は、第１の実施形態に係る歯列矯正用インプラント１を用いたときの治療例を示す図である。
【図５】図５は、本発明の第２の実施形態に係る歯列矯正用インプラント１の正面図である。
【図６】図６は、第２の実施形態に係る歯列矯正用インプラント１の平面図である。
【図７】図７は、第２の実施形態に係る歯列矯正用インプラント１の左側面図である。
【図８】図８は、本発明の第３の実施形態に係る歯列矯正用インプラント１の正面図である。
【図９】図９は、第３の実施形態に係る歯列矯正用インプラント１の平面図である。
【図１０】図１０は、第３の実施形態に係る歯列矯正用インプラント１の左側面図である。
【発明を実施するための形態】
【００１０】
（第１の実施形態）
図１は、本発明の第１の実施形態に係る歯列矯正用インプラント１の正面図である。図２は、第１の実施形態に係る歯列矯正用インプラント１の平面図である。図３Ａは、第１の実施形態に係る歯列矯正用インプラント１の左側面図である。図３Ｂは、第１の実施形態に係る歯列矯正用インプラント１の右側面図である。図４は、第１の実施形態に係る歯列矯正用インプラント１を用いたときの治療例を示す図である。
【００１１】
図１において、歯列矯正用インプラント１は、頭部５と、ねじ部１０と、円筒部１１とを備える。ねじ部１０は、埋入先端側の尖鋭部２と、尖鋭部２から続く中央部の第１のねじ部３と、第１のねじ部３の上から円筒部１１の近傍まで続く頭部５側の第２のねじ部４とを含む。第２のねじ部４のピッチは、第１のねじ部３のピッチよりも狭くなっている。たとえば、一例として、歯列矯正用インプラント１の全長は６〜１５ｍｍ程度であり、第１のねじ部３のピッチは１．０〜０．７ｍｍであり、第２のねじ部４のピッチは、０．５〜０．３ｍｍである。ただし、あくまでも一例であって、本発明を限定するものではない。尖鋭部４は、先端ができる限り尖るように鋭利に製造されている。ねじ部１０は、第１のねじ部３から尖鋭部４にかけて、斜めに切り欠き部１２を有する。
【００１２】
頭部５は、穴部６と、第１の凹部７とを含む。穴部６や第１の凹部７に、歯列矯正用のワイヤやエラストマーが取り付けられる。専用のドリル（図示せず）を用いて、歯列矯正用インプラント１は、上顎又は下顎の顎骨に埋入される。円筒部１１には、ねじ山がない。顎骨と歯茎との間に円筒部１１が位置することとなる。
【００１３】
歯列矯正用インプラント１の使用方法の一例を図４に示す。たとえば、歯に固定されたブラケット２１に取り付けられた歯列矯正用ワイヤ２２やエラストマー２３に対して、エラストマー２４を介して、歯列矯正用インプラント１が連結される。歯に取り付けられた歯列矯正用のワイヤ２２やエラストマー２３と、歯列矯正用インプラント１及び連結されたエラストマー２４との作用によって、歯列を所望の方向に移動させることができる。ブラケットとワイヤ・エラストマーを用いただけの従来の矯正治療に比べ、歯列矯正用インプラント１を用いた場合の矯正治療では、効果的に歯を移動させることができるので、治療期間を短縮することができる。矯正治療終了後は、歯列矯正用インプラント１は、顎骨から取り外される。
【００１４】
本発明では、ねじ部１０が、尖鋭部２、第１のねじ部３、及び第２のねじ部４の３つの構造に分かれていることに特徴がある。尖鋭部２は、できる限り先端が尖るように鋭利に製造されているので、埋入の初期段階で、容易に歯列矯正用インプラント１を顎骨に埋入することができる。さらに、第１のねじ部３から尖鋭部４にかけて、斜めに切り欠き部１２を有するので、初期段階の埋入がより容易となる。第１のねじ部３は、適度なピッチを有しているので、歯列矯正用インプラント１の顎骨への前進がスムーズに進む。歯列矯正用インプラント１が深く埋入するに従って、第２のねじ部４が顎骨に埋入されることなる。第２のねじ部４のピッチは狭く、かつ、ねじ部１０の全体形状が尖鋭部２に向けて円錐状になっているので、第１のねじ部３が堀込んだ顎骨の穴を第２のねじ部４がさらに堀込むようにして、歯列矯正用インプラント１が顎骨に埋入されることとなる。したがって、第２のねじ部４は、顎骨に強固に密着することとなる。
【００１５】
尖鋭部２及び第１のねじ部３によって、顎骨への埋入が容易となる。さらに、歯列矯正用インプラント１自体は、極小さいものであるので、骨への適合性に優れている。加えて、第２のねじ部３の作用によって、埋入後は、強力に固定されることとなり、強力な維持力を歯列矯正用インプラント１は発揮することとなる。
【００１６】
なお、第２のねじ部４のピッチは狭いので、顎骨と歯列矯正用インプラント１とが密着することとなるので、バクテリアや細菌が顎骨に侵入するのを防止することができ、これらの感染による骨吸収を防止することができ、結果、骨への適合性も優れることとなる。
【００１７】
（第２の実施形態）
図５は、本発明の第２の実施形態に係る歯列矯正用インプラント１の正面図である。図６は、第２の実施形態に係る歯列矯正用インプラント１の平面図である。図７は、第２の実施形態に係る歯列矯正用インプラント１の左側面図である。第１の実施形態と同様の箇所は、同一の参照符号を付す。第２の実施形態では、頭部５は、十字溝のスロット部８を有する。スロット部８をねじ穴にして、専用ドリルを用いずに、タッピングすることも可能となる。また、第１の凹部７だけでなく、スロット部８も、歯列矯正器具との連結に用いることができる。また、スロット部８は、ワイヤを用いた場合、ブラケットして使用することもできる。
【００１８】
（第３の実施形態）
図８は、本発明の第３の実施形態に係る歯列矯正用インプラント１の正面図である。図９は、第３の実施形態に係る歯列矯正用インプラント１の平面図である。図１０は、第３の実施形態に係る歯列矯正用インプラント１の左側面図である。第１及び第２の実施形態と同様の箇所は、同一の参照符号を付す。第３の実施形態では、頭部５は、第２の凹部９を有する。第１及び第２の凹部７及び９のダブルヘッド形状によって、二通りの方法で使用することが可能となる。たとえば、一方に、エラストマーなどを連結し、もう一方に、ＮｉＴｉコイルスプリングをかけることができる。
【００１９】
第２及び第３の実施形態で示したように、頭部５の形状はいかなる形状でもよく、本発明を限定するものではない。なお、歯茎の損傷を考慮すると円筒部１１がある方が好ましいが、顎骨への歯列矯正用インプラントの固定という観点からは、本発明において、円筒部１１は、必須構成ではない。
【００２０】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００２１】
本発明は、医療器具として、産業上利用可能である。
【符号の説明】
【００２２】
１  歯列矯正用インプラント
５  頭部
１０  ねじ部
１１  円筒部
２  尖鋭部
３  第１のねじ部
４  第２のねじ部
６  穴部
７  第１の凹部
８  スロット部
９  第２の凹部
【図１】
2013141582.tif 000003
【図２】
2013141582.tif 000004
【図３Ａ】
2013141582.tif 000005
【図３Ｂ】
2013141582.tif 000006
【図５】
2013141582.tif 000007
【図６】
2013141582.tif 000008
【図７】
2013141582.tif 000009
【図８】
2013141582.tif 000010
【図９】
2013141582.tif 000011
【図１０】
2013141582.tif 000012
【図４】
2013141582.tif 000013